(57)【要約】【課題】被冷却物の乾燥を防ぐことができ、冷却時間を短縮することができる冷却方法を提供する。【解決手段】被冷却物が冷却開始温度から、凝固点近傍又は被冷却物の物性上最も劣化し易い温度領域に達する手前の所定温度に達するまでは、保冷室と冷却室との間の空気の流れを抑制しながら被冷却物の冷却を行う予冷工程と、前記所定温度から目標冷凍温度までは、保冷室と冷却室との間の空気の流れを促進しながら被冷却物の冷却を行う急速凍結工程と、を備える。【選択図】図５
2010060186.tif 000002
【特許請求の範囲】
【請求項１】
空間内に、冷却器が設置される保冷室と、被冷却物の設置される冷却室とを備えた冷却装置を用いて被冷却物の冷却を行う冷却方法において、
被冷却物が冷却開始温度から、被冷却物の凝固点近傍又は被冷却物の物性上最も劣化し易い温度領域に達する手前の所定温度に達するまでは、保冷室と冷却室との間の空気の流れを抑制しながら被冷却物の冷却を行う予冷工程と、
前記所定温度から目標冷凍温度までは、保冷室と冷却室との間の空気の流れを予冷工程のときよりも促進しながら被冷却物の冷却を行う急速凍結工程と、
を備えることを特徴とする冷却方法。
【請求項２】
前記予冷工程においては、保冷室と冷却室との境界に設けられた仕切り部材で該境界を遮蔽することによって保冷室と冷却室との間の空気の流れを抑制する一方で、前記急速凍結工程においては、前記仕切り部材が該境界の少なくとも一部を開放することによって保冷室と冷却室との間の空気の流れを促進することを特徴とする請求項１記載の冷却方法。
【請求項３】
前記予冷工程においては、冷却室に配置されたファンを停止、低速運転又は間欠運転させて保冷室と冷却室との間を空気の流れを抑制する一方で、前記急速凍結工程においては、ファンを高速運転または連続運転させて保冷室と冷却室との間の空気の流れを促進することを特徴とする請求項１又は２記載の冷却方法。
【請求項４】
前記予冷工程においては、保冷室において冷却器で発生する冷気を蓄熱し、前記急速凍結工程においては、前記蓄熱された冷気を冷却室に解放することを特徴とする請求項１ないし３のいずれか１項に記載の冷却方法。
【請求項５】
前記予冷工程においては、予め得られた、被冷却物の中心温度と被冷却物の表面温度との関係に基づき、被冷却物の中心温度と被冷却物の表面温度との差をほぼ０に保持しつつ被冷却物の中心温度を低下させる過程を持つように、冷却器を通過する冷媒の温度及び／又は冷媒の流量を時間的に変化させながら、被冷却物の冷却を行うことを特徴とする請求項１ないし４のいずれか１項に記載の冷却方法。
【請求項６】
前記予冷工程においては、予め得られた、被冷却物の中心温度と、前記空間の温度又は冷却器を通過する冷媒の温度との関係に基づき、被冷却物の中心温度と、前記空間の温度又は冷却器を通過する冷媒の温度との差をほぼ一定に保持しつつ被冷却物の中心温度を低下させる過程を持つように、冷媒の温度及び／又は冷媒の流量を時間的に変化させながら、被冷却物の冷却を行うことを特徴とする請求項１ないし５のいずれか１項に記載の冷却方法。
【請求項７】
請求項１ないし６のいずれか１項の冷却方法に記載の前記冷却装置。
【請求項８】
前記空間を包囲する壁体と前記冷却器との間の隙間に仕切り部材が設けられ、該仕切り部材は、予冷工程においては、該隙間を遮蔽し、急速凍結工程においては、該隙間の少なくとも一部を開放することを特徴とする請求項７記載の冷却装置。
【請求項９】
前記冷却室には、冷却器側から冷却室の被冷却物方向へと送風するファンが配置され、該ファンは、予冷工程においては、停止、低速運転又は間欠運転を行う一方で、前記急速凍結工程においては、高速運転又は連続運転を行うことを特徴とする請求項７又は８記載の冷却装置。
【請求項１０】
前記保冷室には、冷気を蓄熱することができる蓄冷機能材が配置されることを特徴とする請求項７ないし９のいずれか１項に記載の冷却装置。
【発明の詳細な説明】
【技術分野】
【０００１】
本発明は、被冷却物の冷却を行う冷却方法及び冷却装置に関する。
【背景技術】
【０００２】
従来から食品等の被冷却物の冷却方法としては、真空冷却方式、ブラストチラー方式、電磁誘導方式といったものが知られている。
【０００３】
真空冷却方式は、被冷却物を減圧環境内に置くことで、蒸発温度が下がることを利用し、被冷却物に含まれる水分が水蒸気（気化水）となって被冷却物から潜熱を奪って蒸発していくことを利用して冷却するものである。そのため、被冷却物からは多量の水分が蒸発されていき、同時に脱気作用も働くために、被冷却物の乾燥を避けることができない、という問題がある。つまり、真空冷却方式では、水分を失うことが冷却の原理になっているため、被冷却物の乾燥・脱気を原理的に防ぐことができない。
【０００４】
ブラストチラー方式は、庫内に、熱源として伝熱面積の大きなエバポレータと、強風ファンを設け、エバポレータのフィンの間に強制的に空気を通過させて、循環量を多くし、冷気を作り出して、庫内の被冷却物へ直接吹き付けることで熱交換の効率を高めた方式である。循環方式や熱交換方式には様々なものがあるが、基本的には低温冷風を効率よく作り出し高い熱交換を目指している点では共通している。
【０００５】
このブラストチラー方式においても被冷却物の乾燥・脱気が生じるという問題があり、その主なる原因として、被冷却物の表面は強冷風に晒されているために、被冷却物の表面と中心部との間には温度差が発生し、中心部の方が温度が高いために、熱は中心側から表面側へと移動し、同時に水分も熱と同じ方向に移動するので、中心部から水分が奪われていくことが考えられる。
【０００６】
また、他の原因として、エバポレータに強制的に冷気を通過させるために、エバポレータの表面に水蒸気が結露して、冷気中の除湿を行ってしまうことになる。つまり、エバポレータ通過時に除湿されて乾燥した冷気が被冷却物に吹き付けられて、冷却と同時に被冷却物の除湿を行い、昇温した冷気が再びエバポレータで再冷却・除湿を行うサイクルが作られてしまい、被冷却物から水分が奪われていくことが考えられる。
【０００７】
ブラストチラー方式では、いかに速く、効率よく被冷却物と熱交換させるか、ということが主眼となっているために、上記原因により被冷却物の乾燥・脱気を防ぐことができない。
【０００８】
電磁誘導方式は、ブラストチラー方式と同じで、冷気による冷却方式であるが、庫内に電圧又は電磁場を与える設備が装備されており、被冷却物中の水分子を共鳴させ、又は、磁場で水分子を微細化しながら、超低温冷気で一気に冷却させて凍結させる方式である。しかしながら、水を分子レベルの動きでコントロールすることは非常に難しく、結果的には、ブラストチラー方式と同じように、乾燥・脱気の問題が発生する。
【０００９】
以上のように、各方式において、乾燥・脱気の問題は避けることができない問題となっている。
【００１０】
この問題点を解決するために、特許文献１や特許文献２では、冷気の強制循環を行わない冷却装置が提案されている。これらの冷却装置では、断熱箱体により密閉された室内にある一壁側に冷却器を設け、冷却器の前面にファンを配設し、ファンの前方の空間部を冷却室とし、冷却器付近に存在する冷却空気をファンの後面から吸引して冷却室に流動させるようにしている。冷却室の冷却空気は、強制的には冷却器へと循環されず、冷却器を含む冷却部と冷却室との間では、その空気層の境界面での分子間の衝突による熱交換が行われ、冷却室内の水蒸気圧が飽和状態にあり、乾燥しないため、被冷却物表面のわずかな水分を瞬時に凍らせて薄いアイスバリアを表面全体に形成し、被冷却物の変性を阻止するというものである。
【００１１】
しかしながら、例えば、特許文献２では、庫内の風速が０．５ｍ／分（８．３ｍｍ／秒）以上３．５ｍ／分（５８．３ｍｍ／秒）以下であるとしているが、これは実質的には無風状態と等しく、自然対流程度の空気の動きしか発生させないことを意味する。しかしながら、自然対流では、十分な冷却効果は得られず、冷却時間がかかるという問題がある。つまり、強制循環を行わず、エバポレータである冷却器に強制的に空気を送り込まないことは、冷熱効率を落とし、冷却に時間がかかる結果となる。
【００１２】
これらの問題点に対して、特許文献３では、被冷却物の乾燥を防ぐことができ、且つ冷却時間を短縮することができる冷却装置が提案されている。この冷却装置では、空間内に冷却器と、ファンと、被冷却物の設置される冷却室とを備える冷却装置において、予め得られた、被冷却物の中心温度と、前記空間の温度、被冷却物の表面温度及び冷却器を通過する冷媒の温度の中から選択されるいずれかの温度との関係に基づき、被冷却物の冷却過程において、被冷却物の中心温度と、前記空間の温度、被冷却物の表面温度及び冷却器を通過する冷媒の温度の中から選択されるいずれかの温度との差を一定に保持しつつ被冷却物の中心温度を低下させる過程を持つように、冷媒の温度及び／又は冷媒の流量を時間的に変化させながら、被冷却物の冷却を行っている。
【００１３】
【特許文献１】特許第２８５２３００号公報
【特許文献２】特許第３３６６９７７号公報
【特許文献３】特許第４０８１５０７号公報
【発明の開示】
【発明が解決しようとする課題】
【００１４】
特許文献３記載の装置は、被冷却物の乾燥を防ぐことができ、被冷却物の品質を保持することができるものの、冷却時間の短縮化については未だ改善の余地がある。
【００１５】
本発明はかかる課題に鑑みなされたもので、被冷却物の乾燥を防ぐことができ、冷却時間を短縮することができる冷却方法及び冷却装置を提供することをその目的とする。
【課題を解決するための手段】
【００１６】
前述した課題を解決するために、請求項１記載の発明は、空間内に、冷却器が設置される保冷室と、被冷却物の設置される冷却室とを備えた冷却装置を用いて被冷却物の冷却を行う冷却方法において、被冷却物が冷却開始温度から、被冷却物の凝固点近傍又は被冷却物の物性上最も劣化し易い温度領域に達する手前の所定温度に達するまでは、保冷室と冷却室との間の空気の流れを抑制しながら被冷却物の冷却を行う予冷工程と、前記所定温度から目標冷凍温度までは、保冷室と冷却室との間の空気の流れを予冷工程のときよりも促進しながら被冷却物の冷却を行う急速凍結工程と、を備えることを特徴とする。
【００１７】
請求項２記載の発明は、請求項１記載の前記予冷工程において、保冷室と冷却室との境界に設けられた仕切り部材で該境界を遮蔽することによって保冷室と冷却室との間の空気の流れを抑制する一方で、前記急速凍結工程においては、前記仕切り部材が該境界の少なくとも一部を開放することによって保冷室と冷却室との間の空気の流れを促進することを特徴とする。
【００１８】
請求項３記載の発明は、請求項１又は２記載の前記予冷工程において、冷却室に配置されたファンを停止、低速運転又は間欠運転させて保冷室と冷却室との間を空気の流れを抑制する一方で、前記急速凍結工程においては、ファンを高速運転または連続運転させて保冷室と冷却室との間の空気の流れを促進することを特徴とする。
【００１９】
請求項４記載の発明は、請求項１ないし３のいずれか１項に記載の前記予冷工程において、保冷室において冷却器で発生する冷気を蓄熱し、前記急速凍結工程においては、前記蓄熱された冷気を冷却室に解放することを特徴とする。
【００２０】
請求項５記載の発明は、請求項１ないし４のいずれか１項に記載の前記予冷工程において、予め得られた、被冷却物の中心温度と被冷却物の表面温度との関係に基づき、被冷却物の中心温度と被冷却物の表面温度との差をほぼ０に保持しつつ被冷却物の中心温度を低下させる過程を持つように、冷却器を通過する冷媒の温度及び／又は冷媒の流量を時間的に変化させながら、被冷却物の冷却を行うことを特徴とする。
【００２１】
請求項６記載の発明は、請求項１ないし５のいずれか１項に記載の前記予冷工程において、予め得られた、被冷却物の中心温度と、前記空間の温度又は冷却器を通過する冷媒の温度との関係に基づき、被冷却物の中心温度と、前記空間の温度又は冷却器を通過する冷媒の温度との差をほぼ一定に保持しつつ被冷却物の中心温度を低下させる過程を持つように、冷媒の温度及び／又は冷媒の流量を時間的に変化させながら、被冷却物の冷却を行うことを特徴とする。
【００２２】
請求項７記載の発明は、請求項１ないし６のいずれか１項の冷却方法に記載の前記冷却装置を特徴とする。
【００２３】
請求項８記載の発明は、請求項７記載の前記空間を包囲する壁体と前記冷却器との間の隙間に仕切り部材が設けられ、該仕切り部材は、予冷工程においては、該隙間を遮蔽し、急速凍結工程においては、該隙間の少なくとも一部を開放することを特徴とする。
【００２４】
請求項９記載の発明は、請求項７又は８記載の前記冷却室に、冷却器側から冷却室の被冷却物方向へと送風するファンが配置され、該ファンは、予冷工程においては、停止、低速運転又は間欠運転を行う一方で、前記急速凍結工程においては、高速運転又は連続運転を行うことを特徴とする。
【００２５】
請求項１０記載の発明は、請求項７ないし９のいずれか１項に記載の前記保冷室に、冷気を蓄熱することができる蓄冷機能材が配置されることを特徴とする。
【発明の効果】
【００２６】
本発明によれば、被冷却物が凝固点近傍又は物性上最も劣化し易い温度領域に達する手前の所定温度に達するまでは、保冷室と冷却室との間の空気の流れを抑制することで、被冷却物の乾燥を防ぐ一方で、所定温度から目標冷凍温度までは、保冷室と冷却室との間の空気の流れを促進することで、目標冷凍温度までに達するまでに要する時間を全体として短時間とすることができる。所定温度以下になれば被冷却物を冷風に曝しても水分蒸発が少ないために乾燥のおそれなく、急速凍結することができる。また、予冷工程時に冷却器から保冷室に蓄熱された冷気を、急速凍結工程で一気に冷却室に解放することで、凝固点近傍又は物性上最も劣化し易い温度領域を短時間で通過することができ、被冷却物の劣化を防ぎ、氷の成長を防ぐことができる。
【００２７】
仕切り部材によって保冷室と冷却室との境界又は空間を包囲する壁体と冷却器との間の隙間の遮蔽と開放を切換えることで、保冷室と冷却室との間の空気の流れの抑制と促進とを切換えることができる。また、ファンによる停止、低速運転又は間欠運転と高運転動又は連続運転とを切換えることによって、保冷室と冷却室との間の空気の流れの抑制と促進とを切換えることができる。
【００２８】
また、予冷工程において蓄冷機能材によって冷気を蓄熱しておき、急速冷凍工程においてその蓄熱された冷気を冷却室に解放することで、凝固点近傍又は被冷却物の物性上最も劣化し易い温度領域を短時間で通過することができ、被冷却物の劣化を防ぎ、氷の成長を防ぐことができる。また、冷却器の冷却能力を効果的に使用することができる。
【発明を実施するための最良の形態】
【００２９】
以下、図面を用いて本発明の実施の形態を説明する。尚、以下の実施形態は本発明を限定するものではない。
【００３０】
図１は、本発明による冷却方法を実施する冷却装置の実施形態の内部構造を表す断面図である。冷却装置１０は、断熱壁体１２によって包囲されて外部と断熱的に隔離された室内１６を有しており、その室内１６の一側面（前面）には、被冷却物を搬入出するための扉１４が開閉自在に備えられている。
【００３１】
室内１６は、冷気発生源である冷却器１８が設置され冷気を発生すると共に好ましくは冷気の蓄熱を行う保冷室２２と、被冷却物が設置される冷却室２４とに区分けされる。
【００３２】
断熱壁体１２と冷却器１８との間の隙間には、開閉可能な仕切り部材３０が配置されており、この仕切り部材３０と冷却器１８の前面の輪郭によって仕切られる一方の部分が保冷室２２となり、それ以外の部分が冷却室２４となる。仕切り部材３０は、その開閉度合が後述の駆動手段によって制御可能となっており、開閉度合によって、仕切り部材３０が配置される隙間を介して保冷室２２と冷却室２４とを開放するか、該隙間を遮蔽するか、又は該隙間の一部を遮蔽／開放するかの切換えが可能となっている。
【００３３】
冷却器１８の全体輪郭形状は、冷却室２４側から見て通常は長方形（正方形を含む）となっており、冷却器１８は、この中を冷媒が通過する際に気化することで周囲の空気を冷却する熱交換器（エバポレータ）となっており、例えば、冷却フィンがその周囲に形成された冷却コイルで構成することができる。
【００３４】
保冷室２２内には、冷却器１８の他に、冷気の蓄熱を行う後述の蓄冷機能材２０が配置される。
【００３５】
冷却室２４には、適宜、その両側面にガイドレール２５が形成され、ガイドレール２５に沿って複数のトレー２６が配設され、トレー２６上に被冷却物が載置可能となっている。
【００３６】
冷却室２４には、冷却室２４側から見て冷却器１８に重なるようにして、モータ付きファン２８が適宜位置に配設される。
【００３７】
図３に示したように、冷却室２４及び／又は保冷室２２には温度センサ３８が設けられる。また、冷却器１８を通過する冷媒の循環回路４０は、室外に配置される凝縮器４２、冷媒タンク４４、圧縮機４６及び膨張弁４８を有する。そして、温度センサ３８からの検出信号は、制御器５０へと供給されており、制御器５０は、インバータ５１を制御して、圧縮機４６の回転を制御するようになっており、被冷却物の種類に応じて、前記冷却室２４又は保冷室２２が後述のように、予め決められた温度変化をとるように圧縮機４６の運転を制御して冷媒の温度を変化させるようになっている。
【００３８】
以上のように構成される冷却装置１０において被冷却物の冷却を行う場合には、２つの工程で行う。第１の工程を予冷工程、第２の工程を急速凍結工程と称する。以下、この２つの工程について詳述する。
【００３９】
（予冷工程）
予冷工程とは、被冷却物が室内１６に投入されたときの投入温度又は冷却装置外の常温の冷却開始温度から、被冷却物の凝固点近傍又は被冷却物の物性上最も劣化し易い温度領域に達する手前の温度の予冷終了温度（所定温度）まで、被冷却物を冷却する工程である。
【００４０】
予冷工程では、保冷室２２と冷却室２４との間で空気の流れを抑制しながら、且つ被冷却物の中心温度と、室内１６の温度、被冷却物の表面温度及び冷却器１８を通過する冷媒の温度の中から選択されるいずれかの温度との差が、なるべく小さくなるようにして、冷却する。好ましくは、被冷却物の中心温度と被冷却物の表面温度が限りなく０になる過程を持つように冷却する。また、好ましくは、被冷却物の中心温度及び／又は表面温度と室内１６の温度との差、又は、被冷却物の中心温度及び／又は表面温度と冷媒温度との差が一定となる過程を持つように冷却する。
【００４１】
より詳細には、予冷工程では、保冷室２２と冷却室２４との間で空気の流れを抑制するために、図７（ａ）に示すように、仕切り部材３０は閉鎖しており、保冷室２２と冷却室２４との間の空気の流通は、冷却器１８の占有部分以外で制限されている。そして、ファン２８は停止、低速運転又は間欠運転とし、冷却室２４内を無風又は微風が流れるようにする。
【００４２】
図５は、被冷却物の中心温度、表面温度、室内の温度及び冷媒の温度のそれぞれの時間変化の一例を表している。前述のように、予冷開始点である被冷却物の投入直後は、中心温度と表面温度との温度差は０であり、その後、表面温度の方が低くなるが、予冷終了点では、温度差がほぼ０となるように、冷媒の温度を制御する。
【００４３】
例えば、予冷工程は、第２所定温度（例えば＋５℃付近）までは、被冷却物の中心温度と表面温度との温度差を小さくしていく過程と、第２所定温度以下（例えば＋５℃以下）では、被冷却物の中心温度と表面温度との温度差をほぼ０にする過程とを持つようにして、２つの過程に分けて制御するとよい。
【００４４】
以上の予冷工程では、被冷却物への冷気の供給は、冷却器１８の冷却室２４に面した部分からの放熱及び保冷室２２から冷却室２４への自然対流を利用している。熱の伝熱速度は温度差に比例し、予冷工程ではこの温度差が小さいので、冷却は比較的時間をかけて低速に行われる。また、仕切り部材３０を閉鎖することにより、保冷室２２には、冷却室２４内の空気は循環又は強制通風されず、よって、冷却室２４は陽圧で高湿度の状態を維持し、保冷室２２は負圧で低湿度の状態を維持する。
【００４５】
被冷却物の中心温度と表面温度との温度差が小さくなるように低速で冷却を行っているために、被冷却物からの水分蒸発が防止される。即ち、例えば従来のブラストチラー方式では、図６（ａ）に示すように、強冷風を被冷却物に当てるために、被冷却物の中心部温度と表面温度との間での温度差が大きくなる。そのために、中心部から表面に向かって温度差の大きさに比例して熱移動が起こり、同時に水分も大量に移動する。これに対して、この予冷工程では、図６（ｂ）に示すように、無風又は微風とし、被冷却物の中心部温度と表面温度との間での温度差Δｔを０に近づけていることで、従来のような水分の移動が発生しない。
【００４６】
さらには、冷却室２４は高湿度が維持されているために、被冷却物の乾燥が一層防止されることとなる。
【００４７】
ファン２８を作動させる場合、その目的は、被冷却物からの熱を強制的に奪うためではなく、冷却室２４内の温度の均一化と被冷却物の表面に形成される空気層（境膜）を僅かに揺り動かすことである。
【００４８】
この予冷工程において要する熱量Ｑを考えたときに、熱量Ｑは、Ｑ∝Δｔであり、Δｔは小さいから、Ｑは小さい。保冷室２２では、予冷工程中に、冷却室２４に供給されない冷気を蓄熱する。ここで蓄熱は、蓄冷機能材２０の冷却と、保冷室２２内の空気の冷却を含む。
【００４９】
こうして、予冷工程により被冷却物は、凝固点近傍又は物性上最も劣化し易い温度領域に達する手前の温度である予冷終了温度まで冷却される。
【００５０】
（急速冷凍工程）
予冷工程にひき続き急速凍結工程を実行する。急速冷凍工程とは、予冷終了温度から被冷却物が完全に凍結する目標凍結温度まで、被冷却物を冷却する工程である。
【００５１】
予冷工程では、被冷却物の凝固点近傍又は被冷却物の物性上最も劣化し易い温度領域に達する手前の温度まで冷却を行っている。液相から固相へと変わる凝固点の温度帯である氷結晶帯は、通常、被冷却物が物性上最も劣化し易い温度領域であることが知られている。この氷結晶帯を短時間で通過することが、被冷却物の品質を維持する上で重要である。
【００５２】
急速凍結工程では、予冷工程とは対照的に、保冷室２２と冷却室２４との間の空気の流れを促進し、図７（ｂ）に示すように仕切り部材３０を開放し、保冷室２２に蓄熱された冷気を一気に冷却室２４へと放熱する。ファン２８も高速運転又は連続運転とする。但し、例えば粉体や乾燥品のように被冷却物の比重が小さく、被冷却物が飛散し易いものである場合には、低速運転を維持し、その代わりに、仕切り部材３０による開閉度合で調整する。
【００５３】
こうして、氷結晶帯の平衡状態において必要とする大きな熱量（水の場合８０倍）を、保冷室２２に蓄熱された熱量で補てんし、氷結晶帯を通過する時間を短縮し、氷の成長を防いで氷結を微細化し、さらに、一気に低温化して短い時間で凍結を行う。
【００５４】
予冷工程によって、被冷却物の表面温度と中心温度とはほぼ同じ温度となっているから、表面と中心部とが同時に氷結晶する。このとき、表面から中心部へ徐々に凍結されていくのではなく、表面と中心部とがほぼ同時に固化し、均質な氷を生成する。
【００５５】
仕切り部材３０が開放された後は、保冷室２２と冷却室２４とがより一体化する。開放された直後、冷却器１８のある保冷室２２の温度は、冷却室２４の温度よりも低温であり、高温の冷却室２４側の冷気は、対流を起こし、冷却器１８側へと移行する。仕切り部材３０の開閉度合は、温度降下状況とファン２８による冷却室２４内の熱分布状況によって、調整可能である。また、ファン２８によって、冷却器１８の冷気を吸い出し、又は押し出して、室内１６全体を均一化し、同時に、被冷却物の表面に形成された熱の境膜を揺動させる。
【００５６】
凝固点を下回った後は、被冷却物は固相となっているために、水分蒸発は液相のときに比較して遥かに少ない。そのため、ファン２８の流量を、予冷工程に比較して多くしても、被冷却物の表面からの乾燥のおそれは少ない。
【００５７】
この急速凍結工程においては、図５に示すように、氷結晶帯において、仕切り部材３０の開閉度合を調整しながら氷結晶帯を通過させる過程と、氷結晶帯を通過した後の冷媒温度をさらに低下させる過程とを持つように、２つの過程に分けて制御するとよい。被冷却物の氷結晶帯を迅速に通過させ、通過後に冷媒温度を低下させて冷却することで、凍結速度を速めることができる。
【００５８】
保冷室２２から冷却室２４へと供給される熱量Ｑは、Ｑ＝Ｑ１＋Ｑ２＝ΔＴ・ｃ・ｑ・Ｖ＋Ｑ２として表され、ここで、ΔＴは保冷室２２と冷却室２４との間の温度差、ｃは比熱、ｑは密度、Ｖは保冷室２２の容積、Ｑ２は蓄冷機能材により蓄積された熱量である。ΔＴが大きいため、Ｑ１を大きくすることができる。また、冷却器１８から放出される熱量は単位時間当たり一定であるが、予冷工程時に蓄積していた熱量Ｑ２をこの急速凍結工程で利用することができる。Ｑ１及びＱ２を大きくとるために、保冷室２２と冷却室２４との容積比（後述）、保冷室２２内に配置される蓄冷機能材２０の体積又は質量と比熱を適宜、設定するとよい。
【００５９】
（事前計測）
以上の予冷工程及び急速凍結工程を行うために、事前計測を行う。事前計測では、図４に示すように、予め同じ冷却装置１０において、又は他の同じ仕様の冷却装置１０において、被冷却物の中心温度を測定する温度センサ５２と被冷却物の表面温度を測定する温度センサ５４と、冷却器１８の入口付近における冷媒温度（入口冷媒温度）を測定する温度センサ５６と、冷却器１８の出口付近における冷却温度（出口冷媒温度）を測定する温度センサ５８と、を設け、温度センサ５２、５４、５６、５８及び冷却室２４及び／又は保冷室２２に設けられた温度センサ３８からの検出信号をマイクロコンピュータで構成される解析器６０で受けて、冷媒の温度及び／又は流量を変化させながら冷却を行う。
【００６０】
計測は、被冷却物の凝固点温度、被冷却物の氷結晶帯通過時間、冷却装置投入時から目標凍結温度に達するまでの、被冷却物の表面温度、被冷却物の中心温度、室内温度（冷却室２４及び／又は保冷室２２の温度）、入口冷媒温度、出口冷媒温度のそれぞれについての時間変化の計測を行う。但し、室内温度（冷却室２４及び／又は保冷室２２の温度）、入口冷媒温度及び出口冷媒温度は、この中の選択された１つ又は２以上の計測とすることもできる。
【００６１】
そして、冷媒温度、冷媒流量、ファン２８の回転数及び作動時間、仕切り部材３０の開閉度合の少なくとも１つを制御パラメータとし、これらの制御パラメータを変化させて、計測を行う。
【００６２】
これらの計測から、被冷却物の中心温度、表面温度、室内温度、又は冷媒温度の関係が、所望の図５に示したような予冷工程となるように、制御パラメータを予め求めておく。
【００６３】
この際に、前述の通り、第２所定温度（例えば＋５℃付近）までは、被冷却物の中心温度と表面温度との温度差を小さくしていく過程とし、第２所定温度以下（例えば＋５℃以下）では、被冷却物の中心温度と表面温度との温度差を０にする過程となるように制御パラメータを設定しておくとよい。又は、被冷却物の中心温度又は表面温度と室内温度又は冷媒温度との温度差が一定となる過程を持つように、制御パラメータを設定しておくとよい。また、図５に示すような所望の急速凍結工程となるように、制御パラメータを予め求めておく。
【００６４】
さらには、好ましくは、冷却装置１０外の外気温度、湿度との影響も含めて制御パラメータを求めておくとよい。
【００６５】
こうして、求められた制御パラメータと時間又は温度（例えば室内温度）との関係を表す制御データ（図５）は制御器５０において格納される。
【００６６】
（制御器５０による制御について）
同じ種類の被冷却物の冷却を行うに当たっては、図３に示すように、同じ冷却装置１０を使う場合には温度センサ５２、５４、５６、５８を除去して、解析器６０の代わりに制御器５０とし、温度センサ３８によって室内温度（冷却室２４又は保冷室２２の温度）を検出して、それを格納した制御データに合致するように、制御器５０が制御する。但し、検出する温度は、室内温度とする以外にも、被冷却物の表面温度、冷媒温度とすることも可能である。
【００６７】
具体的な制御器５０の制御としては、図３に示したように、インバータ５１を制御して圧縮機４６の回転数を変化させて冷媒温度を制御する他に、凝縮器４２のファンの回転数を変化させることにより、冷媒温度を変化させることができる。及び／又は、循環回路４０に流量調整弁（図４の６２参照）を設け、流量調整弁を制御器５０で調整することにより、冷媒流量を変化させることも可能である。又は、膨張弁４８を制御して、膨張弁４８で冷媒流量調整を行うことも可能である。
同時に、制御器５０は、ファン２８の回転数及び仕切り部材３０の開閉度合の調整を行うことで、予め想定された予冷工程及び急速凍結工程を行うことができる。
【００６８】
（室内１０の保冷室２２と冷却室２４について）
図１に示した例は、１つの保冷室２２と１つの冷却室２４とを備えているが、この数の組み合わせは任意であり、例えば、図８（ａ）に示すように、１つの冷却室２４に対してこの冷却室２４を挟むように２つの保冷室２２を備えることも可能である。
【００６９】
前述のようにＱ１及びＱ２を大きくとるためには、保冷室２２と冷却室２４との容積比を適宜、設定する必要があり、具体的には、保冷室２２と冷却室２４の容積比は、冷却室２４に対して保冷室２２（複数ある場合にはその合算）は１〜４倍程度とするとよく、好ましくは、１〜２．５倍程度が実用上好ましい。
【００７０】
（仕切り部材について）
図９〜図１０は、仕切り部材３０の例を表す図である。
図において、仕切り部材３０は、遮蔽板３００と、遮蔽板３００を支持する支持軸３０２と、を備え、支持軸３０２は、断熱壁体１２内の軸受３０４で軸支されている。また、支持軸３０２の一端は、断熱壁体１２を貫通して、断熱壁体１２の外側に配置される駆動手段３０６に適宜伝達手段３０８を介して連結される。駆動手段３０６は、制御器５０から出力される駆動信号によって駆動され、これによって、遮蔽板３００が支持軸３０２を中心として旋回する。
【００７１】
遮蔽板３００は、金属、合成樹脂等の任意の材料から構成することができる。また、駆動手段３０６は、モータで構成することができる。又は、駆動手段３０６は、エアシリンダー、油圧シリンダ等の任意のアクチュエータとすることができ、伝達手段２０８は、適宜、ギヤ、ベルト、カム、リンク機構を使用可能である。
【００７２】
遮蔽板３００の旋回範囲θは、０°から９０°まで又は９０°前後の角度までの範囲とすればよく、その範囲で任意に角度を選択することで、開閉度合を調整することができるようになっている（図１０参照）。
【００７３】
また、遮蔽板３００は、平坦形状、湾曲形状の任意の形状とすることができる。
【００７４】
さらには、遮蔽板３００は、多数の整列されたルーバーで構成することも可能である。各ルーバーを一同に回転させて、その回転角度を選択することで、開閉度合を調整することができる。
【００７５】
また、仕切り部材３０の位置は、図１では、冷却器１８の左右両側において、冷却器１８の冷却室２４に対向する面の延長面上に配置していたが、これに限るものではなく、冷却器１８の上下に配置することも可能である。又は、図８（ｂ）に示したように、冷却器１８の片側にのみ配置することも可能である。また、冷却器１８の冷却室２４に対向する面の延長面上に配置する以外に、図１１又は図１２に示すように、冷却器１８の任意の部分と断熱壁体１２との間の隙間に仕切り部材３０を設けることが可能である。
【００７６】
また、仕切り部材３０によって、冷却器１８と断熱壁体１２との間の隙間が全て遮蔽可能であることが望ましいが、必ずしも全部の隙間ではなく、一部の隙間が遮蔽可能となっていてもよい。
【００７７】
（ファンについて）
ファン２８の目的は、前述のように、予冷工程時には、冷却室２４内の温度の均一化と被冷却物の表面に形成される熱交換された境膜を僅かに揺り動かして、境膜伝熱係数を大きくすることであり、被冷却物に一方的に冷気を与えるものではない。一方、急速凍結工程時には、冷却器１８及び保冷室２２内の冷気を吸い出し又は押し出して、冷却室２４と保冷室２２との間の温度を均一化し、被冷却物の表面に形成される境膜を動かす。
【００７８】
このため、ファン２８は、図７に示すように、冷却器１８に重なり合って、冷却器１８側から冷却室２４の被冷却物方向へと送風するように配置され、予冷工程時には、停止又は低速運転若しくは間欠運転で冷却器１８側から冷却室２４内の被冷却物方向へと送風し、急速凍結工程時には、高速運転又は連続運転で、冷却器１８側から冷却室２４の被冷却物方向へと送風する。
【００７９】
又は、ファン２８は、図１３に示すように、冷却器１８に重なり合って、冷却器１８側から冷却室２４の被冷却物方向へと送風するファン２８−１と、ファン２８−１と反対の方向を向いて、冷却室２４側から冷却器１８方向へと送風するファン２８−２とを備えることができる。ファン２８−２は、急速凍結工程時にのみ作動し、冷却器１８から仕切り部材３０が開放する隙間を通過して冷却室２４へと至る冷気の流れを生成するものである。
【００８０】
又は、ファン２８は、図１４に示すように、冷却器１８とは離れて冷却室２４に配置されて、冷却室２４内の被冷却物に向かって送風するファン２８−３と、冷却室２４側から冷却器１８方向へと送風するファン２８−２とを備えることができる。ファン２８−３は、予冷工程時には低速運転又は間欠運転で作動し、急速凍結工程時には高速運転又は連続運転で作動する。ファン２８−２は、急速凍結工程時にのみ作動し、急速凍結工程時に冷却器１８から仕切り部材３０が開放する隙間を通過して冷却室２４へと至る冷気の流れを生成する。
【００８１】
又は、ファン２８は、図１５に示すように、急速凍結工程時にのみ作動するファン２８−４を、保冷室２２において、冷却器１８よりも反冷却室側に配置することもできる。ファン２８−４は、急速凍結工程時にのみ作動し、冷却器１８を通り冷却室２４へと至る冷気の流れを生成するものである。
【００８２】
又は、ファン２８は、冷却器１８に重なり合って冷却室２４に配置されて、正逆双方向に回転可能なものとすることもできる。予冷工程時には、低速運転又は間欠運転で、保冷室２２側から冷却室２４内に被冷却物方向へと送風し、急速凍結工程時には、回転方向が逆となり、高速運転又は連続運転で、冷却室２４側から冷却器１８方向へと送風することもできる。
以上説明した例はあくまで一例であり、これらに限らず、任意のファンの配置をすることが可能である。
【００８３】
（蓄冷機能材について）
蓄冷機能材２０は、金属又は化学品で構成することができて、蓄熱能力が高く、放熱スピードが高いものが好ましい。例えば、銅、アルミニウム等の良伝熱性の金属プレート、又は、金属中空材内に不凍液等の充填材を充填したもので構成することができる。不凍液としては、メタノール、エタノール、塩水などの不凍液を使用することができる。又は、充填材として被冷却物の凝固点で解凍することができる保冷液を選択すると、被冷却物が凝固するために必要な潜熱（水の場合、８０倍の熱量）と、保冷液が解凍するために放出する潜熱とを相殺することができる。
【００８４】
蓄冷機能材２０は、保冷室２２内で固定的に配置されていても良いが、図１６に示すように、可動的に配置することもでき、例えば、その向きを調整可能として、急速凍結工程時に流速を調整する機能を持たせることもできる。
【００８５】
（まとめ）
以上のように本実施形態による冷却装置１０で実施される冷却方法によれば、予冷工程と急速凍結工程とに分けて冷却を行うので、被冷却物の乾燥を防ぎ、全体の冷却時間を短縮することができる。例えば、図５の例では、予冷工程内の被冷却物の中心温度と表面温度との温度差を小さくしていく過程に５分、被冷却物の中心温度と表面温度との温度差を０にする過程に１０分、急速凍結工程に１０分として、全体の冷却時間を短縮することができる。
【００８６】
そして、予冷工程時に冷却器から保冷室に蓄熱された冷気を、急速凍結工程で一気に冷却室に解放することで、凝固点近傍又は物性上最も劣化し易い温度領域を短時間で通過することができ、被冷却物の劣化を防ぎ、氷の成長を防ぐことができる。
【００８７】
また、冷却器１８に着霜がないので、デフロースト（霜取り工程）も不要にすることができる。着霜は、室内１６空気中の湿度が高いことによりその水分が冷却器１８に付着することにより起こり、その水分は被冷却物から奪われた水分である。つまり、着霜が発生するということは被冷却物が乾燥したことを意味する。本実施形態においては、予冷工程時に、冷却室２４側は高温、高湿度となり、保冷室２２側は低温、低湿度となり、保冷室２２と冷却室２４とは、仕切り部材３０及びファン２８によって空気の流れが抑制されており、冷却室２４と保冷室２２との間の遮断がなされているために、保冷室２２側は低湿度が維持されて、冷却器１８の着霜を防ぐことができる。また、冷却室２４内の被冷却物は、高湿度下にあって飽和状態となり、水分の蒸発のほとんどない状態とすることができる。
【図面の簡単な説明】
【００８８】
【図１】本発明による冷却方法を実施する冷却装置の実施形態の内部構造を表す上方から見た断面図である。
【図２】図１の冷却装置の内部構造を表す側方から見た断面図である。
【図３】図１の冷却装置の全体構成を表す図である。
【図４】図１の冷却装置における事前計測時の状態を示す図である。
【図５】被冷却物の中心温度、表面温度、室内温度、冷媒温度と時間との関係の一例を表す図である。
【図６】被冷却物の中心部と表面部との温度差と、冷風との関係を表す説明図であり、（ａ）は従来のブラストチラー方式、（ｂ）は本発明の予冷工程時を表す。
【図７】本発明による冷却装置の動作を表す上方から見た断面図であり、（ａ）は予冷工程時、（ｂ）は急速凍結工程時を表す。
【図８】保冷室と冷却室の異なる構成を示す上方から見た断面図である。
【図９】本発明の冷却装置の内部構造を表す前方から見た断面図である。
【図１０】仕切り部材付近の断面図である。
【図１１】仕切り部材の異なる配置を示す図８相当図である。
【図１２】仕切り部材の異なる配置を示す図８相当図である。
【図１３】ファンの異なる構成例を示す図７相当図である。
【図１４】ファンの異なる構成例を示す図７相当図である。
【図１５】ファンの異なる構成例を示す図７相当図である。
【図１６】可動の蓄冷機能材の構成例を示す上方から見た断面図であり、（ａ）は予冷工程時、（ｂ）は急速凍結工程時を表す。
【符号の説明】
【００８９】
１０  冷却装置
１２  断熱壁体
１６  室内（空間）
１８  冷却器
２０  蓄冷機能材
２２  保冷室
２４  冷却室
２８、２８−１、２８−２、２８−３、２８−４  ファン
３０  仕切り部材
【図１】
2010060186.tif 000003
【図２】
2010060186.tif 000004
【図３】
2010060186.tif 000005
【図４】
2010060186.tif 000006
【図５】
2010060186.tif 000007
【図６】
2010060186.tif 000008
【図７】
2010060186.tif 000009
【図８】
2010060186.tif 000010
【図９】
2010060186.tif 000011
【図１０】
2010060186.tif 000012
【図１１】
2010060186.tif 000013
【図１２】
2010060186.tif 000014
【図１３】
2010060186.tif 000015
【図１４】
2010060186.tif 000016
【図１５】
2010060186.tif 000017
【図１６】
2010060186.tif 000018
【手続補正書】
【提出日】平成21年1月13日(2009.1.13)
【手続補正１】
【補正対象書類名】特許請求の範囲
【補正対象項目名】全文
【補正方法】変更
【補正の内容】
【特許請求の範囲】
【請求項１】
空間内に、冷却器が設置される保冷室と、被冷却物の設置される冷却室とを備えた冷却装置を用いて被冷却物の冷却を行う冷却方法において、
被冷却物が冷却開始温度から、被冷却物の凝固点近傍又は被冷却物の物性上最も劣化し易い温度領域に達する手前の所定温度に達するまでは、保冷室と冷却室との間の空気の流れを抑制しながら被冷却物の冷却を行う予冷工程と、
前記所定温度から目標冷凍温度までは、保冷室と冷却室との間の空気の流れを予冷工程のときよりも促進しながら被冷却物の冷却を行う急速凍結工程と、
を備え、
前記予冷工程においては、保冷室と冷却室との境界に設けられた仕切り部材で該境界を遮蔽することによって保冷室と冷却室との間の空気の流れを抑制する一方で、前記急速凍結工程においては、前記仕切り部材が該境界の少なくとも一部を開放することによって保冷室と冷却室との間の空気の流れを促進することを特徴とする冷却方法。
【請求項２】
空間内に、冷却器が設置される保冷室と、被冷却物の設置される冷却室とを備えた冷却装置を用いて被冷却物の冷却を行う冷却方法において、
被冷却物が冷却開始温度から、被冷却物の凝固点近傍又は被冷却物の物性上最も劣化し易い温度領域に達する手前の所定温度に達するまでは、保冷室と冷却室との間の空気の流れを抑制しながら被冷却物の冷却を行う予冷工程と、
前記所定温度から目標冷凍温度までは、保冷室と冷却室との間の空気の流れを予冷工程のときよりも促進しながら被冷却物の冷却を行う急速凍結工程と、
を備え、
前記予冷工程においては、保冷室において冷却器で発生する冷気を蓄熱し、前記急速凍結工程においては、前記蓄熱された冷気を冷却室に解放することを特徴とする冷却方法。
【請求項３】
前記予冷工程においては、冷却室に配置されたファンを停止、低速運転又は間欠運転させて保冷室と冷却室との間を空気の流れを抑制する一方で、前記急速凍結工程においては、ファンを高速運転または連続運転させて保冷室と冷却室との間の空気の流れを促進することを特徴とする請求項１又は２記載の冷却方法。
【請求項４】
前記予冷工程においては、予め得られた、被冷却物の中心温度と被冷却物の表面温度との関係に基づき、被冷却物の中心温度と被冷却物の表面温度との差をほぼ０に保持しつつ被冷却物の中心温度を低下させる過程を持つように、冷却器を通過する冷媒の温度及び／又は冷媒の流量を時間的に変化させながら、被冷却物の冷却を行うことを特徴とする請求項１ないし３のいずれか１項に記載の冷却方法。
【請求項５】
前記予冷工程においては、予め得られた、被冷却物の中心温度と、前記空間の温度又は冷却器を通過する冷媒の温度との関係に基づき、被冷却物の中心温度と、前記空間の温度又は冷却器を通過する冷媒の温度との差をほぼ一定に保持しつつ被冷却物の中心温度を低下させる過程を持つように、冷媒の温度及び／又は冷媒の流量を時間的に変化させながら、被冷却物の冷却を行うことを特徴とする請求項１ないし４のいずれか１項に記載の冷却方法。
【請求項６】
請求項１ないし５のいずれか１項の冷却方法に記載の前記冷却装置。
【請求項７】
前記空間を包囲する壁体と前記冷却器との間の隙間に仕切り部材が設けられ、該仕切り部材は、予冷工程においては、該隙間を遮蔽し、急速凍結工程においては、該隙間の少なくとも一部を開放することを特徴とする請求項６記載の冷却装置。
【請求項８】
前記冷却室には、冷却器側から冷却室の被冷却物方向へと送風するファンが配置され、該ファンは、予冷工程においては、停止、低速運転又は間欠運転を行う一方で、前記急速凍結工程においては、高速運転又は連続運転を行うことを特徴とする請求項６又は７記載の冷却装置。
【請求項９】
前記保冷室には、冷気を蓄熱することができる蓄冷機能材が配置されることを特徴とする請求項６ないし８のいずれか１項に記載の冷却装置。
【手続補正２】
【補正対象書類名】明細書
【補正対象項目名】００１６
【補正方法】変更
【補正の内容】
【００１６】
前述した課題を解決するために、請求項１記載の発明は、空間内に、冷却器が設置される保冷室と、被冷却物の設置される冷却室とを備えた冷却装置を用いて被冷却物の冷却を行う冷却方法において、被冷却物が冷却開始温度から、被冷却物の凝固点近傍又は被冷却物の物性上最も劣化し易い温度領域に達する手前の所定温度に達するまでは、保冷室と冷却室との間の空気の流れを抑制しながら被冷却物の冷却を行う予冷工程と、前記所定温度から目標冷凍温度までは、保冷室と冷却室との間の空気の流れを予冷工程のときよりも促進しながら被冷却物の冷却を行う急速凍結工程と、を備え、前記予冷工程においては、保冷室と冷却室との境界に設けられた仕切り部材で該境界を遮蔽することによって保冷室と冷却室との間の空気の流れを抑制する一方で、前記急速凍結工程においては、前記仕切り部材が該境界の少なくとも一部を開放することによって保冷室と冷却室との間の空気の流れを促進することを特徴とする。
【手続補正３】
【補正対象書類名】明細書
【補正対象項目名】００１７
【補正方法】変更
【補正の内容】
【００１７】
請求項２記載の発明は、空間内に、冷却器が設置される保冷室と、被冷却物の設置される冷却室とを備えた冷却装置を用いて被冷却物の冷却を行う冷却方法において、被冷却物が冷却開始温度から、被冷却物の凝固点近傍又は被冷却物の物性上最も劣化し易い温度領域に達する手前の所定温度に達するまでは、保冷室と冷却室との間の空気の流れを抑制しながら被冷却物の冷却を行う予冷工程と、前記所定温度から目標冷凍温度までは、保冷室と冷却室との間の空気の流れを予冷工程のときよりも促進しながら被冷却物の冷却を行う急速凍結工程と、を備え、前記予冷工程においては、保冷室において冷却器で発生する冷気を蓄熱し、前記急速凍結工程においては、前記蓄熱された冷気を冷却室に解放することを特徴とする。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】変更
【補正の内容】
【００２０】
請求項４記載の発明は、請求項１ないし３のいずれか１項に記載の前記予冷工程において、予め得られた、被冷却物の中心温度と被冷却物の表面温度との関係に基づき、被冷却物の中心温度と被冷却物の表面温度との差をほぼ０に保持しつつ被冷却物の中心温度を低下させる過程を持つように、冷却器を通過する冷媒の温度及び／又は冷媒の流量を時間的に変化させながら、被冷却物の冷却を行うことを特徴とする。
【手続補正６】
【補正対象書類名】明細書
【補正対象項目名】００２１
【補正方法】変更
【補正の内容】
【００２１】
請求項５記載の発明は、請求項１ないし４のいずれか１項に記載の前記予冷工程において、予め得られた、被冷却物の中心温度と、前記空間の温度又は冷却器を通過する冷媒の温度との関係に基づき、被冷却物の中心温度と、前記空間の温度又は冷却器を通過する冷媒の温度との差をほぼ一定に保持しつつ被冷却物の中心温度を低下させる過程を持つように、冷媒の温度及び／又は冷媒の流量を時間的に変化させながら、被冷却物の冷却を行うことを特徴とする。
【手続補正７】
【補正対象書類名】明細書
【補正対象項目名】００２２
【補正方法】変更
【補正の内容】
【００２２】
請求項６記載の発明は、請求項１ないし５のいずれか１項の冷却方法に記載の前記冷却装置を特徴とする。
【手続補正８】
【補正対象書類名】明細書
【補正対象項目名】００２３
【補正方法】変更
【補正の内容】
【００２３】
請求項７記載の発明は、請求項６記載の前記空間を包囲する壁体と前記冷却器との間の隙間に仕切り部材が設けられ、該仕切り部材は、予冷工程においては、該隙間を遮蔽し、急速凍結工程においては、該隙間の少なくとも一部を開放することを特徴とする。
【手続補正９】
【補正対象書類名】明細書
【補正対象項目名】００２４
【補正方法】変更
【補正の内容】
【００２４】
請求項８記載の発明は、請求項６又は７記載の前記冷却室に、冷却器側から冷却室の被冷却物方向へと送風するファンが配置され、該ファンは、予冷工程においては、停止、低速運転又は間欠運転を行う一方で、前記急速凍結工程においては、高速運転又は連続運転を行うことを特徴とする。
【手続補正１０】
【補正対象書類名】明細書
【補正対象項目名】００２５
【補正方法】変更
【補正の内容】
【００２５】
請求項９記載の発明は、請求項６ないし８のいずれか１項に記載の前記保冷室に、冷気を蓄熱することができる蓄冷機能材が配置されることを特徴とする。